(57)【要約】【課題】粉塵や粘着性付着物を除去でき、実装ボードの端子とコネクタの端子とを良好に接続することができるコネクタを提供する。【解決手段】本発明のコネクタ１は、実装ボード６の挿入口２１１が形成されたケース２と、ケース２の挿入口２１１から挿入される実装ボード６の端子６１と多点接続される端子３と、ケース２の挿入口２１１内に向かって突出し、挿入口２１１から挿入される実装ボート６と接触して実装ボード６に付着した粉塵を除去すると共に、挿入口２１１からの粉塵の侵入を防止する、弾性体から成る第１の接触手段４と、第１の接触手段４に設けられ、実装ボード６に付着した粘着性付着物を除去する鋭角部５１を有する、弾性体から成る第２の接触手段５と、を備える。【選択図】図２
2010282876.tif 000002
【特許請求の範囲】
【請求項１】
実装ボードの挿入口が形成されたケースと、
前記ケースの挿入口から挿入される実装ボードの端子と多点接続される端子と、
前記ケースの挿入口内に向かって突出し、前記挿入口から挿入される実装ボートと接触して前記実装ボードに付着した粉塵を除去すると共に、前記挿入口からの粉塵の侵入を防止する、弾性体から成る第１の接触手段と、
前記第１の接触手段に設けられ、前記実装ボードに付着した粘着性付着物を除去する鋭角部を有する、弾性体から成る第２の接触手段と、
を備えるコネクタ。
【請求項２】
前記コネクタの端子は、前記ケースの挿入口から挿入される実装ボードの厚さ方向及び幅方向に湾曲し、この湾曲部の頂部に前記実装ボードの端子との接続部を有することを特徴とする請求項１に記載のコネクタ。
【請求項３】
前記第２の接触手段は、前記コネクタの端子毎に配置されていることを特徴とする請求項１又は２に記載のコネクタ。
【請求項４】
前記ケースには、前記第１の接触手段を嵌め込む嵌合部が形成されていることを特徴とする請求項１に記載のコネクタ。
【請求項５】
前記嵌合部は、前記実装ボードの挿入を案内する切り欠き部であることを特徴とする請求項４に記載のコネクタ。
【発明の詳細な説明】
【技術分野】
【０００１】
本発明は、実装ボードが挿入されるコネクタに関する。
【背景技術】
【０００２】
実装ボードが挿入されるコネクタは、コネクタの端子と実装ボードの端子とを良好に接触させることができるように、実装ボードに付着した粉塵を除去したり、実装ボードの端子と多点接続が可能な構成とされている。
【０００３】
特許文献１のコネクタは、実装ボードに付着した粉塵を除去するクリーニング体が当該コネクタのケース内に配置されている。
特許文献２のコネクタは、実装ボードの挿入口を覆い、実装ボードの厚さより僅かに大きく、且つ挿入口の高さよりも小さな幅のスリットを有するダストカバーを備える。
特許文献３のコネクタは、実装ボードの端子との接続部にスリットが形成された端子を備える。
ちなみに、コネクタの技術ではないが、特許文献４には、多点接続が可能なスライド式スイッチが開示されている。
【先行技術文献】
【特許文献】
【０００４】
【特許文献１】特開２００８−２３５１６３号公報
【特許文献２】特開平３−１８２０７２号公報
【特許文献３】特開平１０−７４５６８号公報
【特許文献４】特開２００３−７１６９号公報
【発明の概要】
【発明が解決しようとする課題】
【０００５】
特許文献１のコネクタは、ケース内にクリーニング体を配置しているため、実装ボードから除去した粉塵がケース内に残る。そのため、実装ボードの抜き差しを繰り返すと、コネクタの端子と実装ボードの端子との接続部近傍まで粉塵が侵入する。また、特許文献１のコネクタは、実装ボードに付着した粘着性付着物を良好に除去できる構成とされていない。ここで、粘着性付着物とは、粉塵とは異なり粘度を有する部材である。このような粘着性付着物も、コネクタの端子と実装ボードの端子との接触不良を生じさせる。接触不良の発生は、即時発生と経時発生とがある。経時発生とは、長期間にゆっくりと硬化が進行し、ある日突然接触不良が発生することを云う。
特許文献２のコネクタは、実装ボードに付着した粘着性付着物を良好に除去できる構成とされていない。
特許文献３のコネクタは、本来的に実装ボードに付着した粉塵や粘着性付着物を除去できる構成とされていない。
【０００６】
本発明の目的は、上述した課題を解決するコネクタを提供することにある。
【課題を解決するための手段】
【０００７】
本発明のコネクタは、実装ボードの挿入口が形成されたケースと、前記ケースの挿入口から挿入される実装ボードの端子と多点接続される端子と、前記ケースの挿入口内に向かって突出し、前記挿入口から挿入される実装ボートと接触して前記実装ボードに付着した粉塵を除去すると共に、前記挿入口からの粉塵の侵入を防止する、弾性体から成る第１の接触手段と、前記第１の接触手段に設けられ、前記実装ボードに付着した粘着性付着物を除去する鋭角部を有する、弾性体から成る第２の接触手段と、を備える。
【発明の効果】
【０００８】
本発明によれば、粉塵や粘着性付着物を除去でき、実装ボードの端子とコネクタの端子とを経時的に良好に接続することができる。
【図面の簡単な説明】
【０００９】
【図１】（ａ）本発明の実施の形態のコネクタを概略的に示す平面図である。（ｂ）本発明の実施の形態のコネクタを概略的に示す正面図である。（ｃ）本発明の実施の形態のコネクタを概略的に示す断面図である。
【図２】（ａ）第１の接触手段及び第２の接触手段を概略的に示す側面図である。（ｂ）第１の接触手段及び第２の接触手段を概略的に示す正面図である。
【図３】（ａ）コネクタの端子を概略的に示す正面図である。（ｂ）コネクタの端子を概略的に示す側面図である。
【発明を実施するための形態】
【００１０】
本発明の実施の形態に係るコネクタについて説明する。但し、本発明が以下の実施の形態に限定される訳ではない。また、説明を明確にするため、以下の記載及び図面は、適宜、簡略化されている。
【００１１】
コネクタ１は、図示を省略したが電子機器のマザーボード等に設置される。コネクタ１は、図１に示すように、ケース２、端子３、第１の接触手段４、第２の接触手段５を備える。
【００１２】
ケース２は、樹脂などから成る。ケース２は、実装ボード６（図２）が挿入される挿入部２１が形成されており、当該挿入部２１の上部開口縁で挿入口２１１が形成されている。挿入部２１の短手方向の長さは、実装ボード６の厚さＹ（図２）より若干長い長さＬ１とされている。挿入部２１の内側面には、挿入される実装ボード６の端子６１（図３）と対応するように、端子３が配置されている。
【００１３】
端子３は、ケース２の挿入口２１１から挿入される実装ボード６の端子６１と多点接続される。例えば、端子３は、実装ボード６の端子６１との接続部を複数形成するべく、スリットが形成されたり、突出部が複数形成されたりする。
【００１４】
第１の接触手段４は、図２に示すように、ケース２の挿入口２１１内に向かって突出し、挿入口２１１から挿入される実装ボード６と接触して当該実装ボード６に付着した粉塵を除去すると共に、挿入口２１１からの粉塵の侵入を防止する。すなわち、第１の接触手段４は、挿入される実装ボード６の端子６１が配置されている面を挟み込むように、ケース２の挿入口２１１に向かい合う配置で設けられている。第１の接触手段４は、ケース２の挿入部２１に配置された端子３よりも上方に配置されている。向かい合う第１の接触手段４の間隔Ｘは、実装ボード６の厚さＹよりも０．５ｍｍ程度狭い。そして、第１の接触手段４の上端縁には、さらに向かい合う第１の接触手段４の間隔Ｘを狭くするべく、ケース２の挿入口２１１内に向かって突出する突出部４１が連続して形成されている。突出部４１は、実装ボード６の挿入及び引抜方向に変形し易いように、根元部分から先端部分に向かって薄く形成されている。第１の接触手段４は、ケース２の挿入口２１１の長手方向の辺の長さＬ２と略等しい長さを有する。第１の接触手段４は、ゴム等の変形可能な弾性体から成る。そのため、実装ボード６を挿入口２１１から挿入する際には、第１の接触手段４の突出部４１が、実装ボード６の挿入方向に変形しつつ、実装ボード６の端子６１が配置されている面の長手方向全域に亘って接触する。その結果、実装ボード６に付着した粉塵は、挿入部２１より手前、即ちケース２の挿入部２１の外側の領域で除去される。また、第１の接触手段４の突出部４１は変形しつつ、実装ボード６の端子６１が配置されている面に接触しているので、外部から粉塵がケース２の挿入部２１内に侵入することを防止できる。
【００１５】
第２の接触手段５は、図２に示すように、第１の接触手段４に設けられ、実装ボード６に付着した粘着性付着物を除去する鋭角部５１を有する。すなわち、第２の接触手段５は、挿入される実装ボード６の端子６１と対応するように、第１の接触手段４の挿入部２１側の側面に設けられている。つまり、第２の接触手段５は、コネクタ１の端子３毎に第１の接触手段４の長手方向に向かって複数個、配置されている。そのため、第２の接触手段５も、ケース２の挿入部２１に配置された端子３よりも上方に配置されている。第２の接触手段５は、正面視が三角形状とされており、一つの頂部が上方に向かって配置されている。当該頂部は、上述した鋭角部５１とされる。第２の接触手段５の底辺の長さは、実装ボード６の端子６１の幅寸法と略等しい。向かい合う第２の接触手段５の間隔Ｚは、図２（ａ）に示すように、向かい合う第１の接触手段４の間隔Ｘよりも０．５ｍｍ程度狭い。第２の接触手段５は、ゴム等の変形可能な弾性体から成る。そのため、実装ボード６を挿入口２１１から挿入する際には、第２の接触手段５の鋭角部５１が、実装ボード６の各端子６１に接触する。その結果、実装ボード６の端子６１に付着した粘着性付着物は、図２（ｂ）に示すように、第２の接触手段５の鋭角部５１でａ、ｂ方向に削ぎ落とされる。勿論、実装ボード６の端子６１に付着した粉塵も、削ぎ落とされる。
【００１６】
このようなコネクタ１は、第１の接触手段４によって実装ボード６に付着した粉塵の除去及び粉塵のケース２の挿入部２１内への侵入を軽減することができる。しかも、第２の接触手段５によって実装ボード６に付着した粘着性付着物を除去することができる。そのためコネクタ１は、実装ボード６の端子６１とコネクタ１の端子３とを経時的に良好に接続することができる。
【００１７】
さらにコネクタ１は、端子３が実装ボード６の端子６１と多点接続される構成とされているので、実装ボード６の端子６１とコネクタ１の端子３とをより確実に接続することができる。
【００１８】
ここで、コネクタ１の端子３は、図３に示すように、ケース２の挿入口２１１から挿入される実装ボード６の厚さ方向及び幅方向に湾曲し、この湾曲部の頂部に実装ボード６の端子６１との接触部７１、７２を有することが好ましい。すなわち、コネクタ１の端子３は、実装ボード６の端子６１の幅寸法内で実装ボード６の幅方向に湾曲している。また、コネクタ１の端子３は、向かい合う端子３の複数箇所で実装ボード６を挟み込むことができるように実装ボード６の厚さ方向に湾曲している。つまり、コネクタ１の端子３は、接触部７１、７２が実装ボード６の挿入及び引抜方向に対してずれて配置されている。接触部７１、７２が実装ボード６の挿入及び引抜方向に並んでいると、実装ボード６を挿入又は引き抜く際に、端子６１の同一線上を接触部７１、７２が通過して相互の接触回数が多く、端子６１の表面が削れて、接触不良を生じさせる。しかし、コネクタ１の端子３は、上述したように接触部７１、７２が実装ボード６の挿入及び引抜方向に対してずれて配置されているので、端子６１の表面が削れることを軽減することができる。よって、実装ボード６の端子６１とコネクタ１の端子３との経時的な接触不良の発生を長期にわたり軽減することができる。
【００１９】
また、第２の接触手段５が設けられた第１の接触手段４は、ケース２に形成された嵌合部２２に嵌め込まれていることが好ましい。これにより、第１の接触手段４や第２の接触手段５が汚れたり、損傷したりしても、簡単に交換することができる。
【００２０】
特に、通例のケースは、実装ボードの挿入を案内するために、ケースの挿入部における上端部が当該挿入部内に向かって低くなるように傾斜する切り欠き部が形成されている。そこで、当該切り欠き部を嵌合部２２として用いると、第１の接触手段４を嵌め込むために嵌合部２２を別途、形成する必要がなく、簡単に第１の接触手段４を挿入口２１１に設けることができる。しかも、汎用性に優れている。このとき、第１の接触手段４は、良好に切り欠き部に嵌め込むことができるように、断面が略三角形状とされる。
【００２１】
本発明は上記実施の形態に限られたものではなく、趣旨を逸脱しない範囲で適宜変更することが可能である。
【符号の説明】
【００２２】
１  コネクタ
２  ケース
３  端子
４  第１の接触手段、４１  突出部
５  第２の接触手段、５１  鋭角部
６  実装ボード、６１  端子
２１  挿入部、２１１  挿入口
２２  嵌合部
７１、７２  接触部
【図１】
2010282876.tif 000003
【図２】
2010282876.tif 000004
【図３】
2010282876.tif 000005